(57)【要約】【課題】配管等の被装着部材に装着されるパッキンにおいて、被装着部材からの剥がれを防止する。【解決手段】所定方向の長さが冷媒配管２の外周長さより長い貼付面を有する平板状のパッキン材１が、冷媒配管２の外周面に沿って湾曲された状態で冷媒配管２に貼付され、パッキン材１における所定方向の両端部に、貼付面同士が互いに貼付された貼り合わせ部１ａが形成されるパッキンであって、パッキン材１における貼り合わせ部１ａの、パッキン材１の両端部同士を結ぶ辺に切り込み部１ｂを設定する。【選択図】図１
2008069906.tif 000002
【特許請求の範囲】
【請求項１】
所定方向の長さが棒状の被装着部材（２）の外周長さより長い貼付面を有する平板状のパッキン材（１）が、前記被装着部材（２）の外周面に沿って湾曲された状態で前記被装着部材（２）に貼付され、前記パッキン材（１）における前記所定方向の両端部に、前記貼付面同士が互いに貼付された貼り合わせ部（１ａ）が形成されるパッキンであって、
前記パッキン材（１）における前記貼り合わせ部（１ａ）には、前記パッキン材（１）の前記両端部同士を結ぶ辺に切り込み部（１ｂ）が設定されていることを特徴とするパッキン。
【請求項２】
前記切り込み部（１ｂ）は、前記貼り合わせ部（１ａ）における前記被装着部材（２）に近い側に設定されていることを特徴とする請求項１に記載のパッキン。
【請求項３】
前記切り込み部（１ｂ）は、前記被装着部材（２）の長手方向に平行な方向に設定されていることを特徴とする請求項１または２に記載のパッキン。
【請求項４】
貼付面を有する平板状のパッキン材（１）が、被装着部材（３）の端部（３ａ）で折り曲げられるように湾曲された状態で前記被装着部材（３）に貼付されているパッキンであって、
前記パッキン材（１）における前記被装着部材（３）の端部（３ａ）に対応する辺には、前記被装着部材（３）の端部（３ａ）に対応する部位に切り込み部（１ｂ）が設定されていることを特徴とするパッキン。
【請求項５】
前記切り込み部（１ｂ）は、前記パッキン材（１）における前記被装着部材（３）の端部（３ａ）に対応する一対の辺において、前記被装着部材（３）の端部（３ａ）に対応する部位それぞれを互いを結ぶ方向に設定されていることを特徴とする請求項４に記載のパッキン。
【発明の詳細な説明】
【技術分野】
【０００１】
本発明は、パッキンに関するもので、特に車両用空調装置等の冷媒配管に装着されるパッキンとして好適である。
【背景技術】
【０００２】
従来より、配管（例えば、車両用空調装置の蒸発器とエンジンルーム内の冷凍サイクル機器とを接続する冷媒配管）にかかる衝撃を吸収するため、配管にパッキンを貼付することが実施されている。具体的には、図３に示すように、粘着剤が塗布された貼付面を有する平板状のパッキン材Ｊ１を、配管Ｊ２の外周面を覆うように貼付するとともに、パッキン材Ｊ１の両端部において貼付面同士を貼付している。なお、パッキン材Ｊ１における貼付面同士が貼付されている部位を、貼り合わせ部Ｊ１ａという。
【発明の開示】
【発明が解決しようとする課題】
【０００３】
しかしながら、上記パッキンにおいて、パッキン材Ｊ１が元の平板状に戻ろうとする反発力により、時間の経過に伴い、貼り合わせ部１ａの根元、すなわちパッキン材Ｊ１と配管Ｊ２とが接触している部位と貼り合わせ部Ｊ１ａとの間（図３中Ｘ部）より剥がれが発生する。特に、エンジンルーム内の配管のように高温環境において使用する場合、貼り合わせ部に使用されている粘着剤の粘着力が低下しやすく、不具合が発生する可能性が高い。
【０００４】
本発明は、上記点に鑑み、配管等の被装着部材に装着されるパッキンにおいて、被装着部材からの剥がれを防止することを目的とする。
【課題を解決するための手段】
【０００５】
上記目的を達成するため、本発明では、所定方向の長さが棒状の被装着部材（２）の外周長さより長い貼付面を有する平板状のパッキン材（１）が、被装着部材（２）の外周面に沿って湾曲された状態で被装着部材（２）に貼付され、パッキン材（１）における所定方向の両端部に、貼付面同士が互いに貼付された貼り合わせ部（１ａ）が形成されるパッキンであって、パッキン材（１）における貼り合わせ部（１ａ）には、パッキン材（１）の両端部同士を結ぶ辺に切り込み部（１ｂ）が設定されていることを第１の特徴としている。
【０００６】
これにより、パッキン材（１）における貼り合わせ部（１ａ）の根元、すなわちパッキン材（１）と被装着部材（２）とが接触している部位と貼り合わせ部（１ａ）との間で発生する、パッキン材（１）の貼付面を剥がす方向に作用する反発力（パッキン材（１）がもとの平板状へ戻ろうとする力）が、切り込み部（１ｂ）を設定した部位までしか伝わらないようにすることができる。このため、パッキン材（１）の貼り合わせ部（１ａ）の根元において剥がれが発生した場合でも、貼り合わせ部（１）の切り込み部（１ｂ）より先端側が剥がれることがないため、被装着部材（２）からの剥がれを防止することが可能となる。
【０００７】
なお、本明細書中において、「棒状」という用語は、管状を含む意味で用いている。
【０００８】
また、上記第１の特徴において、切り込み部（１ｂ）を、貼り合わせ部（１ａ）における被装着部材（２）に近い側に設定することができる。
【０００９】
これにより、パッキン材（１）の貼り合わせ部（１ａ）の根元において剥がれが発生した場合に、剥がれずに貼付されている部位、すなわちパッキン材（１）の貼り合わせ部（１ａ）における切り込み部（１ｂ）より先端側の部位の長さを充分に確保することができる。このため、被装着部材（２）からの剥がれを確実に防止することが可能となる。
【００１０】
また、切り込み部（１ｂ）を、被装着部材（２）の長手方向に平行な方向に設定することができる。
【００１１】
また、本発明では、貼付面を有する平板状のパッキン材（１）が、被装着部材（３）の端部（３ａ）で折り曲げられるように湾曲された状態で被装着部材（３）に貼付されているパッキンであって、パッキン材（１）における被装着部材（３）の端部（３ａ）に対応する辺には、被装着部材（３）の端部（３ａ）に対応する部位に切り込み部（１ｂ）が設定されていることを第２の特徴としている。
【００１２】
これにより、パッキン材（１）における被装着部材（３）の端部（３ａ）に対応する部位、すなわちパッキン材（１）がもとの平板状から最も変形している部位で発生する、パッキン材（１）の貼付面を剥がす方向に作用する反発力を、切り込み部（１ｂ）によって逃がすことができるので、パッキン材（１）の他の部位に伝わらないようにすることができる。このため、パッキン材（１）における被装着部材（３）の端部（３ａ）に対応する部位において剥がれが発生した場合でも、パッキン材（１）の他の部位が剥がれることがないため、被装着部材（３）からの剥がれを防止することが可能となる。
【００１３】
また、上記第２の特徴において、切り込み部（１ｂ）を、パッキン材（１）における被装着部材（３）の端部（３ａ）に対応する一対の辺において、被装着部材（３）の端部（３ａ）に対応する部位それぞれを互いを結ぶ方向に設定することができる。
【００１４】
なお、上記各手段の括弧内の符号は、後述する実施形態に記載の具体的手段との対応関係を示すものである。
【発明を実施するための最良の形態】
【００１５】
（第１実施形態）
以下、本発明の第１実施形態について図１に基づいて説明する。本実施形態は、本発明に係るパッキンを、車両用空調装置の蒸発器とエンジンルーム内の冷凍サイクル機器に接続される冷媒配管の、緩衝用として用いるパッキンに適用したものである。なお、冷媒配管が本発明の被装着部材に相当している。
【００１６】
図１は、本第１実施形態のパッキンが冷媒配管２に装着された状態を示す斜視図である。図１に示すように、本実施形態のパッキンは、平板状のパッキン材１が、冷媒配管２の外周面に沿って湾曲した状態で冷媒配管２に貼付されることで構成されている。冷媒配管２は、断面形状が円状になっている。パッキン材１は、弾性変形可能な弾性材料で構成されており、本実施形態ではゴム製のスポンジ状の材質で構成されている。
【００１７】
パッキン材１の片面には粘着剤が塗布されており、この粘着剤が塗布された面（以下、貼付面ともいう）が冷媒配管２の外周面に接触するようになっている。また、パッキン材１の貼付面の所定方向の長さは、冷媒配管２の外周長さより長くなっている。このため、パッキン材１は前記所定方向（冷媒配管２の外周面に沿った方向）の両端部、すなわち冷媒配管２と接触していない部位において、貼付面同士が貼付された貼り合わせ部１ａを有している。
【００１８】
貼り合わせ部１ａにおけるパッキン材１の前記両端部同士を結ぶ辺、すなわち冷媒配管２の長手方向（軸方向）に直交する辺には、切り込み部１ｂが設定されている。より詳細には、切り込み部１ｂは、貼り合わせ部１ａにおけるパッキン材１の前記両端部同士を結ぶ一対の辺から、冷媒配管２の長手方向に平行な方向にそれぞれ切り込まれている。また、切り込み部１ｂは、貼り合わせ部１ａにおける冷媒配管２に近い側に設定されている。本実施形態では、切り込み部１ｂは、貼り合わせ部１ａにおける冷媒配管２の長手方向に直交する方向の中心部近傍に設定されている。
【００１９】
以上説明したように、パッキン材１の貼り合わせ部１ａに切り込み部１ｂを設けることで、パッキン材１における貼り合わせ部１ａの根元、すなわちパッキン材１と冷媒配管２とが接触している部位と貼り合わせ部１ａとの間（図１中Ａ部）で発生する、パッキン材１の貼付面（粘着面）を剥がす方向に作用する反発力（パッキン材１がもとの平板状へ戻ろうとする力）が、切り込み部１ｂを設定した部位までしか伝わらないようにすることができる。このため、パッキン材１の貼り合わせ部１ａの根元において剥がれが発生した場合でも、貼り合わせ部１における切り込み部１ｂより先端側が剥がれることがないため、冷媒配管２からの剥がれを防止することが可能となる。
【００２０】
また、切り込み部１ｂを貼り合わせ部１ａにおける冷媒配管２に近い側に設定することで、パッキン材１の貼り合わせ部１ａの根元において剥がれが発生したときに、剥がれずに貼付されている部位（パッキン材１における切り込み部１ｂより先端側の部位）の長さを充分に確保することができるため、冷媒配管２からの剥がれを確実に防止することが可能となる。
【００２１】
また、本実施形態の冷媒配管２は車両のエンジンルーム内に配置されているため、高温になりやすい。このため、パッキン材１に塗布されている粘着剤の粘着力が低下してしまう。したがって、このような高温環境下で使用される場合に、本実施形態に係るパッキンを採用することは、特に効果的である。
【００２２】
（第２実施形態）
次に、本発明の第２実施形態について図２に基づいて説明する。本実施形態は、本発明に係るパッキンを、車両用空調装置の空調ケースに設定されるリブ、より詳細には、空調ケースの内部に収容される蒸発器やヒータコア等の空調機器を固定するためのリブの、緩衝用として用いるパッキンに適用したものである。なお、リブが本発明の被装着部材に相当している。上記第１実施形態と同様の部分については同一の符号を付して説明を省略する。
【００２３】
図２は、本第２実施形態のパッキンがリブ３に装着された状態を示す拡大斜視図である。図２に示すように、本実施形態のパッキンは、平板状のパッキン材１が、リブ３の端部３ａで折り曲げられるように湾曲した状態でリブ３に貼り付けられることで構成されている。パッキン材１は、リブ３の端部３ａに対応する部位において折り返されている。また、パッキン材１の片面には粘着剤が塗布されており、この粘着剤が塗布された面（以下、貼付面ともいう）がリブ３の表面に接触するようになっている。
【００２４】
パッキン材１におけるリブ３の端部３ａに対応する辺には、パッキン材１におけるリブ３の端部３ａに対応する部位、すなわち折り返されている部位に切り込み部１ｂが設定されている。より詳細には、切り込み部１ｂは、パッキン材１におけるリブ３の端部３ａに対応する一対の辺において、リブ３の端部３ａに対応する部位それぞれを互いを結ぶ方向に設定されている。
【００２５】
以上説明したように、パッキン材１におけるリブ３の端部３ａに対応する部位に切り込み部１ｂを設けることで、パッキン材１がもとの平板状から最も変形している部位（本実施形態では、リブ３の端部３ａに対応する部位）で発生する、パッキン材１の貼付面を剥がす方向に作用する反発力を、切り込み部１ｂによって逃がすことができ、パッキン材１の他の部位に伝わらないようにすることができる。このため、パッキン材１におけるリブ３の端部３ａに対応する部位において剥がれが発生した場合でも、パッキン材１の他の部位が剥がれることがないため、リブ３からの剥がれを防止することが可能となる。
【００２６】
（他の実施形態）
なお、上記各実施形態では、パッキン材１を、ゴム製のスポンジ状の材質で構成したが、これに限らず、弾性変形可能な弾性材料であれば、例えば樹脂等で構成してもよい。
【００２７】
また、上記各実施形態では、パッキン材１を配管２もしくはリブ３に貼付するために、パッキン材１の片面に粘着剤を塗布したが、これに限らず、パッキン材１の片面に両面テープを貼り付けてもよい。
【００２８】
また、上記第１実施形態では、被装着部材として車両用空調装置の冷媒配管２を用いたが、車両用空調装置のヒータコアにエンジン冷却水を流通させる温水配管等の他の配管を用いてもよいし、配管に限らず、シャフト等を用いてもよい。
【００２９】
また、上記第２実施形態では、被装着部材として車両用空調装置の空調ケースに設定されるリブ３を用いたが、これに限らず、他の部材を用いてもよい。
【図面の簡単な説明】
【００３０】
【図１】第１実施形態のパッキンが冷媒配管２に装着された状態を示す斜視図である。
【図２】第２実施形態のパッキンがリブ３に装着された状態を示す拡大斜視図である。
【図３】従来のパッキンが冷媒配管Ｊ２に装着された状態を示す斜視図である。
【符号の説明】
【００３１】
１…パッキン材、１ａ…貼り合わせ部、１ｂ…切り込み部、２…冷媒配管（被装着部材）、３…リブ（被装着部材）、３ａ…端部。
【図１】
2008069906.tif 000003
【図２】
2008069906.tif 000004
【図３】
2008069906.tif 000005